(57)【要約】【課題】良好な位相雑音特性を確保するとともに設計通りの発振周波数帯域を容易に得ることができる発振回路を提供する。【解決手段】増幅回路２及び帰還回路４による発振ループが形成される発振回路１００において、帰還回路４は可変ＬＣフィルタ１４及びＳＡＷフィルタ６を含む。可変ＬＣフィルタ１４は通過帯域を変化させることができ、ＳＡＷフィルタ６の通過帯域は可変ＬＣフィルタ１４の通過帯域の可変範囲を含む。そして、ＳＡＷフィルタ６の位相周波数特性の傾きは可変ＬＣフィルタ１４の位相周波数特性の傾きより急峻である。【選択図】        図１
2004350177.tif 000002
【特許請求の範囲】
【請求項１】
増幅回路と、該増幅回路の出力を入力へ帰還させる帰還回路と、を含み、所定の周波数帯域で発振可能な発振回路であって、
前記帰還回路はその入出力間に、
所定の周波数帯域の通過帯域を有するＬＣフィルタと、
該ＬＣフィルタと直列接続された弾性表面波フィルタと、
を有し、
前記弾性表面波フィルタの通過帯域は、前記ＬＣフィルタの通過帯域を含み、
前記弾性表面波フィルタの位相周波数特性の傾きは、前記ＬＣフィルタの位相周波数特性の傾きより急峻であることを特徴とする発振回路。
【請求項２】
増幅回路と、該増幅回路の出力を入力へ帰還させる帰還回路と、を含み、複数の周波数帯域で発振可能な発振回路であって、
前記帰還回路はその入出力間に、
通過帯域を所定の範囲で変化させることができる可変ＬＣフィルタと、
該可変ＬＣフィルタと直列接続された弾性表面波フィルタと、
を有し、
前記弾性表面波フィルタの通過帯域は、前記可変ＬＣフィルタの通過帯域の可変範囲を含み、
前記弾性表面波フィルタの位相周波数特性の傾きは、前記可変ＬＣフィルタの位相周波数特性の傾きより急峻であり、
前記可変ＬＣフィルタの通過帯域を変化させることで、発振周波数帯域が変化することを特徴とする発振回路。
【請求項３】
請求項２に記載の発振回路であって、
前記可変ＬＣフィルタは、制御信号により容量が可変である可変容量素子を含み、
該制御信号によって該可変容量素子の容量を変化させることで、前記可変ＬＣフィルタの通過帯域が変化することを特徴とする発振回路。
【請求項４】
請求項２に記載の発振回路であって、
前記可変ＬＣフィルタは、
互いに並列に設けられ、各々が異なる通過帯域を有する複数の固定ＬＣフィルタと、
これらの固定ＬＣフィルタのうちのいずれか１つを前記帰還回路の入出力間に接続させるフィルタ切換手段と、
を含み、
該フィルタ切換手段によって前記帰還回路の入出力間に接続させる固定ＬＣフィルタを切り換えることで、前記可変ＬＣフィルタの通過帯域が変化することを特徴とする発振回路。
【請求項５】
請求項１〜４のいずれか１に記載の発振回路であって、
前記弾性表面波フィルタと直列接続され、信号の移相量を変化させることができる可変移相器をさらに有することを特徴とする発振回路。
【発明の詳細な説明】
【０００１】
【発明の属する技術分野】
本発明は弾性表面波フィルタを用いた発振回路に関する。
【０００２】
【従来の技術】
弾性表面波フィルタ（以下、ＳＡＷ（Ｓｕｒｆａｃｅ  Ａｃｏｕｓｔｉｃ  Ｗａｖｅ）フィルタとする）を用いた発振回路は通信機器等に広く使用されている。例えば、移動体通信用基地局の増幅回路においては、周辺回路として使用されている。この他、ＷＤＭ（波長分割多重）やＳＯＮＥＴ／ＳＤＨという規格により知られる光ファイバ通信用のクロックにも使用されている。
【０００３】
従来使用されていた発振回路の一例が、図８に示されている（特許文献１参照）。発振回路３００は、増幅回路２０２と増幅回路２０２の出力を帰還させる帰還回路２０４とを有している。増幅回路２０２から出力された信号は、帰還回路２０４に入力される。そして、帰還回路２０４に入力された信号は再び増幅回路２０２に入力され、後述する発振条件を満たす場合、発振回路３００は発振動作を行う。
【０００４】
帰還回路２０４は、互いに並列接続されたＳＡＷフィルタ２０６，２０８と、これらのＳＡＷフィルタ２０６，２０８の入力側及び出力側にそれぞれ設けられたスイッチ２１４，２１６と、固定移相器２１８と、を有している。ＳＡＷフィルタ２０６とＳＡＷフィルタ２０８は、各々中心周波数ｆ１、ｆ２の異なった周波数帯域の信号を通過させるフィルタ特性を備えている。
【０００５】
一方、固定移相器２１８には、増幅回路２０２からの出力信号が入力される。固定移相器２１８は、入力された信号をある固定値の位相Фｐ［ｒａｄ］だけ進ませて（又は遅らせて）出力する。このとき、Фｐの値については発振回路３００において、発振条件が満たされるように予め調整されている。
【０００６】
発振回路３００の発振条件は、発振動作に用いられるＳＡＷフィルタ、増幅回路２０２、固定移相器２１８のゲインを各々ＧＳＡＷ［ｄＢ］、ＧＥ［ｄＢ］、Ｇｐ［ｄＢ］とし、ＳＡＷフィルタによって位相がФＳＡＷ［ｒａｄ］進まされ（又は遅らされ）、増幅回路２０２によって位相がФＥ［ｒａｄ］進まされ（又は遅らされ）とすると、次の（１）、（２）式で表される。ただし、ｆ１とｆ２は近い周波数であり、この周波数差により生じるゲイン差と位相差は無視できるものとする。
【０００７】
【数１】
ＧＳＡＷ＋ＧＥ＋Ｇｐ≧０・・・（１）
【数２】
ФＳＡＷ＋ФＥ＋Фｐ＝２ｎπ（ｎは整数）・・・（２）
発振回路３００においては、（１）、（２）式が成立するように、ＳＡＷフィルタ２０６，２０８、増幅回路２０２、固定移相器２１８のゲイン、位相特性が調整される。
【０００８】
そして、ＳＡＷフィルタ２０６，２０８のいずれか一方がスイッチ２１４，２１６によって選択され、選択されたＳＡＷフィルタを用いて発振動作が行われる。例えば、図８に示されているように、ＳＡＷフィルタ２０６がスイッチ２１４，２１６によって選択されている場合、発振回路３００は周波数ｆ１で発振する。また、ＳＡＷフィルタ２０８がスイッチ２１４，２１６によって選択されている場合、発振回路３００は周波数ｆ２で発振する。このように、従来の発振回路においては、スイッチで発振動作に用いるＳＡＷフィルタを選択することによって、２つの周波数で発振動作を行うことができる。
【０００９】
【特許文献１】
特開２００１−１２７５４８号公報（図９）
【００１０】
【発明が解決しようとする課題】
ＳＡＷフィルタは位相周波数特性の傾きを急峻にすることが可能なため、位相周波数特性の傾きが急峻なＳＡＷフィルタを発振回路に用いることにより、良好な位相雑音特性を得ることが可能となる。しかし、ＳＡＷフィルタは製造ばらつきにより中心周波数がばらついてしまうため、発振回路の発振周波数帯域をＳＡＷフィルタにより設定すると発振周波数帯域がばらついてしまう。したがって、従来のＳＡＷフィルタを用いた発振回路においては、ＳＡＷフィルタの製造ばらつきにより、設計通りの発振周波数帯域を得ることが困難であるという課題があった。また、複数のＳＡＷフィルタを用いて広範囲の発振周波数帯域を得ようとする場合は、多数のＳＡＷフィルタが必要となるため、回路規模の増大及びコスト高を招くという課題があった。
【００１１】
本発明の発振回路は、良好な位相雑音特性を確保するとともに、設計通りの発振周波数帯域を容易に得ることを目的の一つとする。また、本発明の発振回路は、良好な位相雑音特性を確保するとともに、回路規模の増大やコスト高を招くことなく、広範囲の発振周波数帯域を容易に得ることを目的の一つとする。
【００１２】
【課題を解決するための手段】
本発明の発振回路は、上述の目的の少なくとも一部を達成するために以下の手段を採った。
【００１３】
第１の本発明に係る発振回路は、増幅回路と、該増幅回路の出力を入力へ帰還させる帰還回路と、を含み、所定の周波数帯域で発振可能な発振回路であって、前記帰還回路はその入出力間に、所定の周波数帯域の通過帯域を有するＬＣフィルタと、該ＬＣフィルタと直列接続された弾性表面波フィルタと、を有し、前記弾性表面波フィルタの通過帯域は、前記ＬＣフィルタの通過帯域を含み、前記弾性表面波フィルタの位相周波数特性の傾きは、前記ＬＣフィルタの位相周波数特性の傾きより急峻であることを特徴とする。
【００１４】
第２の本発明に係る発振回路は、増幅回路と、該増幅回路の出力を入力へ帰還させる帰還回路と、を含み、複数の周波数帯域で発振可能な発振回路であって、前記帰還回路はその入出力間に、通過帯域を所定の範囲で変化させることができる可変ＬＣフィルタと、該可変ＬＣフィルタと直列接続された弾性表面波フィルタと、を有し、前記弾性表面波フィルタの通過帯域は、前記可変ＬＣフィルタの通過帯域の可変範囲を含み、前記弾性表面波フィルタの位相周波数特性の傾きは、前記可変ＬＣフィルタの位相周波数特性の傾きより急峻であり、前記可変ＬＣフィルタの通過帯域を変化させることで、発振周波数帯域が変化することを特徴とする。
【００１５】
第１及び第２の本発明によれば、発振周波数帯域がＬＣフィルタの通過帯域によって決まるため、発振周波数帯域の調整が容易となる。また、弾性表面波フィルタは位相周波数特性の傾きを急峻にすることができるので、発振信号が循環する発振ループの位相周波数特性の傾きを急峻にすることができる。したがって、第１及び第２の本発明によれば、良好な位相雑音特性を得ることができるとともに、設計通りの発振周波数帯域を容易に得ることができる。さらに、第２の本発明によれば、可変ＬＣフィルタの通過帯域を変化させることにより、発振周波数帯域を変化させることができるので、発振可能な周波数帯域が広帯域となる発振回路を１つの弾性表面波フィルタで実現することができる。したがって、回路規模の増大やコスト高を招くことなく、広範囲の発振周波数帯域を容易に得ることができる。
【００１６】
第３の本発明に係る発振回路は、第２の本発明に記載の回路であって、前記可変ＬＣフィルタは、制御信号により容量が可変である可変容量素子を含み、該制御信号によって該可変容量素子の容量を変化させることで、前記可変ＬＣフィルタの通過帯域が変化することを特徴とする。
【００１７】
この構成によれば、制御信号によって可変容量素子の容量を変化させることで、可変ＬＣフィルタの通過帯域を変化させることができるので、発振周波数帯域を変化させることができる。
【００１８】
第４の本発明に係る発振回路は、第２の本発明に記載の回路であって、前記可変ＬＣフィルタは、互いに並列に設けられ、各々が異なる通過帯域を有する複数の固定ＬＣフィルタと、これらの固定ＬＣフィルタのうちのいずれか１つを前記帰還回路の入出力間に接続させるフィルタ切換手段と、を含み、該フィルタ切換手段によって前記帰還回路の入出力間に接続させる固定ＬＣフィルタを切り換えることで、前記可変ＬＣフィルタの通過帯域が変化することを特徴とする。
【００１９】
この構成によれば、帰還回路の入出力間に接続させる固定ＬＣフィルタを切り換えることで、可変ＬＣフィルタの通過帯域を変化させることができるので、発振周波数帯域を変化させることができる。
【００２０】
第５の本発明に係る発振回路は、第１〜４の本発明のいずれか１に記載の回路であって、前記弾性表面波フィルタと直列接続され、信号の移相量を変化させることができる可変移相器をさらに有することを特徴とする。
【００２１】
この構成によれば、発振信号が循環する発振ループの位相特性を可変移相器によって変化させることで、発振信号の周波数を連続的に変化させることができる。
【００２２】
【発明の実施の形態】
以下、本発明の実施の形態（以下実施形態という）を、図面に従って説明する。
【００２３】
図１に本発明の実施形態に係る発振回路１００のブロック図が示されている。発振回路１００は、信号を増幅する増幅回路２と、増幅回路２からの出力信号を増幅回路２の入力へ帰還させる帰還回路４を備えている。増幅回路２から出力された信号は、帰還回路４に入力される。そして、帰還回路４に入力された信号は再び増幅回路２に入力され、後述する発振条件が満たされる場合、発振回路１００は発振動作を行う。このように、発振回路１００においては、増幅回路２及び帰還回路４により発振信号が循環する発振ループが形成されている。
【００２４】
帰還回路４は、その入出力間に、可変ＬＣフィルタ１４、ＳＡＷフィルタ６及び可変移相器１８を有している。なお、本実施形態では省略しているが必要に応じて固定移相器を使用して位相の調整をしてもよい。
【００２５】
図２に可変ＬＣフィルタ１４の回路図の一例が示されている。可変ＬＣフィルタ１４は、容量性素子Ｃ２，Ｃ３及びＬＣ共振回路１６を含む。容量性素子Ｃ２，Ｃ３は、入力端子ＩＮと出力端子ＯＵＴとの間に直列に設けられている。ＬＣ共振回路１６においては、誘導性素子Ｌと容量性素子Ｃ１，ＶＤとが並列接続されており、一端が容量性素子Ｃ２と容量性素子Ｃ３との間に接続され、他端は接地されている。ここで、容量性素子ＶＤは、例えばバラクタダイオード等の可変容量素子であり、制御電圧Ｖｃｏｎｔによって容量を変化させることができる。
【００２６】
図２に示す可変ＬＣフィルタ１４においては、制御電圧Ｖｃｏｎｔを変化させて可変容量素子ＶＤの容量を変化させることにより、ＬＣ共振回路１６の共振周波数を変化させることができる。したがって、制御電圧Ｖｃｏｎｔによって可変ＬＣフィルタ１４の通過帯域を制御することができる。ここで、可変ＬＣフィルタ１４の通過帯域の可変範囲及びＱ値については、可変ＬＣフィルタ１４内の各素子の定数を変えることや多段構成にすること等で調整が可能である。
【００２７】
可変移相器１８は、可変ＬＣフィルタ１４に対して入力側に直列接続されており、制御電圧によって信号の移相量を変化させることができる。ここで、信号の移相量を制御する制御電圧は、可変ＬＣフィルタ１４の制御電圧Ｖｃｏｎｔに連動して変化する。したがって、可変ＬＣフィルタ１４の通過帯域の変化に加えて可変移相器１８における信号の移相量を変化させることにより、ＳＡＷフィルタ６の通過帯域におけるどの周波数でも発振可能である。
【００２８】
ＳＡＷフィルタ６は、可変ＬＣフィルタ１４に対して出力側に直列接続されている。本実施形態のＳＡＷフィルタ６は、図３に示すように、その通過帯域が可変ＬＣフィルタ１４の通過帯域の可変範囲を含む広帯域ＳＡＷフィルタである。そして、図４に示すように、ＳＡＷフィルタ６の位相周波数特性の傾きは、可変ＬＣフィルタ１４の位相周波数特性の通過帯域を含む周波数帯域における傾きより急峻である。
【００２９】
図５にＳＡＷフィルタ６の電極配置の一例が示されている。図５に示すように、ＳＡＷフィルタ６は、圧電性基板（図示せず）上に形成された入力櫛形電極２０，２１及び出力櫛形電極２２，２３を有している。出力櫛形電極２２，２３は、入力櫛形電極２０，２１から距離Ｌはなされて配置されている。入力櫛形電極２０は可変ＬＣフィルタ１４の出力端子ＯＵＴに接続され、出力櫛形電極２３は増幅回路２の入力に接続され、入力櫛形電極２１及び出力櫛形電極２２は接地されている。
【００３０】
図５において、入力櫛形電極２０，２１と出力櫛形電極２２，２３との距離Ｌの値が大きいほどＳＡＷフィルタ６の位相周波数特性の傾きは急峻となる。本実施形態のＳＡＷフィルタ６は、位相周波数特性の傾きが可変ＬＣフィルタ１４より急峻になるように距離Ｌが設定されている。さらに、距離Ｌについては、発振回路１００の位相雑音特性、及び後述する発振ループの位相特性を考慮してその値が設定される。また、ＳＡＷフィルタ６の通過帯域幅については、例えば電極指の対数の設定により調整可能である。
【００３１】
次に、本実施形態の発振回路１００における発振動作について説明する。
【００３２】
ここで、可変ＬＣフィルタ１４の入出力間のゲイン、位相特性をそれぞれＧＬＣ（ｆ）［ｄＢ］、ФＬＣ（ｆ）［ｒａｄ］とし、ＳＡＷフィルタ６の入出力間のゲイン、位相特性をそれぞれＧＳＡＷ（ｆ）［ｄＢ］、ФＳＡＷ（ｆ）［ｒａｄ］とし、増幅回路２の入出力間のゲイン、位相特性をそれぞれＧＥ（ｆ）［ｄＢ］、ФＥ（ｆ）［ｒａｄ］とし、可変移相器１８の入出力間のゲイン、位相特性をそれぞれＧｐ（ｆ）［ｄＢ］、Фｐ（ｆ）［ｒａｄ］とする。発振回路１００が周波数ｆ１で発振するための条件は、周波数ｆ１において発振ループのゲイン特性が０［ｄＢ］以上、かつ位相特性が２ｎπ［ｒａｄ］（ｎは整数）であることから、次の（３）、（４）式で表される。
【００３３】
【数３】
ＧＬＣ（ｆ１）＋ＧＳＡＷ（ｆ１）＋ＧＥ（ｆ１）＋Ｇｐ（ｆ１）≧０・・・（３）
【数４】
ФＬＣ（ｆ１）＋ФＳＡＷ（ｆ１）＋ФＥ（ｆ１）＋Фｐ（ｆ１）＝２ｎπ・・・（４）
発振回路１００を周波数ｆ１で発振させるためには、制御電圧Ｖｃｏｎｔによって可変ＬＣフィルタ１４の通過帯域が周波数ｆ１を含むように制御される。これによりはじめて、（３）、（４）式が同時に成立するように、可変ＬＣフィルタ１４、ＳＡＷフィルタ６、増幅回路２及び可変移相器１８の各ゲインと位相が設定されている。すなわち、発振ループの位相特性が２ｎπ［ｒａｄ］となるｆ１以外の周波数においては、可変ＬＣフィルタ１４の帯域制限によりゲイン特性が０［ｄＢ］以上にはならずに、周波数ｆ１以外では発振条件は満足しない。つまり周波数ｆ１のみで発振する。そして、可変ＬＣフィルタ１４の通過帯域の制御と同時に可変移相器１８の位相特性（信号の移相量）を変化させると、ＳＡＷフィルタ６の全通過帯域内の任意の周波数で発振可能となる。
【００３４】
一方、発振回路１００が周波数ｆ１と異なる周波数ｆ２で発振するための条件は、次の（５）、（６）式で表される。
【００３５】
【数５】
ＧＬＣ（ｆ２）＋ＧＳＡＷ（ｆ２）＋ＧＥ（ｆ２）＋Ｇｐ（ｆ２）≧０・・・（５）
【数６】
ФＬＣ（ｆ２）＋ФＳＡＷ（ｆ２）＋ФＥ（ｆ２）＋Фｐ（ｆ２）＝２ｎπ・・・（６）
したがって、発振回路１００を周波数ｆ２で発振させるためには、制御電圧Ｖｃｏｎｔによって可変ＬＣフィルタ１４の通過帯域が周波数ｆ２を含むように制御されて（５）、（６）式が同時に成立するように制御される。このように、本実施形態の発振回路１００においては、可変ＬＣフィルタ１４の通過帯域及び可変移相器１８の移相量を変化させることにより、発振ループを循環する発振信号の周波数を連続的に変化させることができる。
【００３６】
ただし、本実施形態においては、図６に示すように、増幅回路２及び帰還回路４により形成される発振ループのゲインが０［ｄＢ］以上となる周波数帯域幅δｆＧが、発振ループの位相が１周する（位相差が２πとなる）周波数帯域幅δｆＰより狭くなるように、発振ループのゲイン、位相特性が設定されている。この発振ループのゲイン、位相特性の設定については、可変ＬＣフィルタ１４のＱ値、ＳＡＷフィルタ６の位相周波数特性の傾き（入力櫛形電極２０，２１と出力櫛形電極２２，２３との距離Ｌ）、増幅回路２のゲイン等の設定を調整することにより実現できる。このような発振ループのゲイン、位相特性の設定により、複数の周波数で同時に発振してしまうことを防止できる。また、可変ＬＣフィルタ１４の通過帯域を変化させずに可変移相器１８の移相量を変化させることで、δｆＧの帯域幅内で発振周波数を僅かに変化させることができる。
【００３７】
本実施形態においては、制御電圧Ｖｃｏｎｔによって可変ＬＣフィルタ１４の通過帯域を制御することで、発振周波数帯域を制御できるので、発振周波数帯域の調整が容易となる。また、ＳＡＷフィルタ６における入力櫛形電極２０，２１と出力櫛形電極２２，２３との距離Ｌを調整することで、ＳＡＷフィルタ６の位相周波数特性の傾きを急峻にすることができ、発振ループの位相周波数特性の傾きを急峻にすることができる。したがって、本実施形態の発振回路１００によれば、良好な位相雑音特性を得ることができるとともに、設計通りの発振周波数帯域を容易に得ることができる。そして、発振可能な周波数帯域が広帯域となる発振回路１００を１つのＳＡＷフィルタ６で実現することができるので、回路規模の増大やコスト高を招くことがない。さらに、可変移相器１８の移相量を制御することにより、発振周波数を連続的かつ広範囲に変化させることができる。
【００３８】
以上の説明においては、可変ＬＣフィルタ１４が制御電圧Ｖｃｏｎｔにより通過帯域が変化するフィルタである場合について説明した。ただし、本実施形態においては、例えば図７に示すように、互いに並列に設けられ各々が異なる通過帯域を有する複数の固定ＬＣフィルタ３２，３４と、複数の固定ＬＣフィルタ３２，３４のうちのいずれか１つを帰還回路４の入出力間に接続させるフィルタ切換手段としてのスイッチ３６と、によって通過帯域が可変となる可変ＬＣフィルタ１４を実現してもよい。ここで、固定ＬＣフィルタ３２，３４の具体的構成の一例については、図２と同様のＬＣ共振回路を含む回路によって実現可能である。ただし、図２に示す回路のように可変容量素子を用いる必要はない。
【００３９】
図７に示す構成においては、固定ＬＣフィルタ３２，３４の通過帯域の各々が可変ＬＣフィルタ１４の通過帯域の可変範囲となる。ＳＡＷフィルタ６の通過帯域については、複数の固定ＬＣフィルタ３２，３４の通過帯域のすべてを含むように設定される。そして、スイッチ３６によって帰還回路４の入出力間に接続させる固定ＬＣフィルタ３２，３４を切り換えることで、可変ＬＣフィルタ１４の通過帯域を変化させて発振回路１００の発振周波数帯域を変化させることができる。
【００４０】
図７に示す構成においては、固定ＬＣフィルタ３２，３４内の素子の定数の調整により固定ＬＣフィルタ３２，３４の通過帯域の調整を行うことができるため、発振周波数帯域の調整が容易であり、設計通りの発振周波数帯域を容易に得ることができる。
【００４１】
なお、図７では２つの固定ＬＣフィルタ３２，３４を並列に設けた場合を示しているが、並列に設ける固定ＬＣフィルタの数については、発振させる周波数帯域の数に応じて任意に設定可能である。
【００４２】
また、本実施形態においては、帰還回路４中の可変移相器１８、可変ＬＣフィルタ１４、ＳＡＷフィルタ６の接続順序は任意である。そして、発振周波数を連続的に変化させなくてもよい場合は、可変移相器１８を省略することもできる。可変移相器１８を省略した場合でも可変ＬＣフィルタ１４の通過帯域を変化させることで発振周波数を段階的に変化させることができる。
【００４３】
さらに、本発明については、通過帯域が可変である可変ＬＣフィルタ１４の代わりに通過帯域が固定のＬＣフィルタを用いても適用可能である。ここで、通過帯域が固定のＬＣフィルタの具体的構成の一例については、上述した固定ＬＣフィルタ３２，３４の具体的構成と同様の構成で実現可能である。
【００４４】
通過帯域が固定のＬＣフィルタを用いた場合の発振可能な周波数帯域は、ＬＣフィルタの通過帯域により決まる。ここで、ＳＡＷフィルタ６の通過帯域はＬＣフィルタの通過帯域を含み、ＳＡＷフィルタ６の位相周波数特性の傾きはＬＣフィルタの位相周波数特性の傾きより急峻である。そして、可変移相器１８により発振ループのゲインが０［ｄＢ］以上となる周波数帯域幅内で発振周波数を変化させることができるが、発振周波数を固定とする場合は可変移相器１８を省略することができる。他の構成については、可変ＬＣフィルタ１４を用いた場合と同様であるため説明を省略する。
【００４５】
通過帯域が固定のＬＣフィルタを用いた場合においても、ＬＣフィルタ内の素子の定数の調整により、設計通りの発振周波数帯域を容易に得ることができる。
【００４６】
以上、本発明の実施の形態について説明したが、本発明はこうした実施の形態に何等限定されるものではなく、本発明の技術思想を逸脱しない範囲内において、種々なる形態で実施し得ることは勿論である。
【図面の簡単な説明】
【図１】本発明の実施形態に係る発振回路の構成を示すブロック図である。
【図２】本発明の実施形態における可変ＬＣフィルタの構成の一例を示す回路図である。
【図３】本発明の実施形態におけるＳＡＷフィルタの通過帯域を説明する図である。
【図４】本発明の実施形態における可変ＬＣフィルタ及びＳＡＷフィルタの位相特性を説明する図である。
【図５】本発明の実施形態におけるＳＡＷフィルタの電極配置の一例を示す図である。
【図６】本発明の実施形態に係る発振回路の発振ループのゲイン、位相特性を説明する図である。
【図７】本発明の実施形態に係る発振回路の他の構成を示すブロック図である。
【図８】従来の発振回路の構成を示すブロック図である。
【符号の説明】
２  増幅回路、４  帰還回路、６  ＳＡＷフィルタ、１４  可変ＬＣフィルタ、１８  可変移相器、１００  発振回路。
【図１】
2004350177.tif 000003
【図２】
2004350177.tif 000004
【図３】
2004350177.tif 000005
【図４】
2004350177.tif 000006
【図５】
2004350177.tif 000007
【図６】
2004350177.tif 000008
【図７】
2004350177.tif 000009
【図８】
2004350177.tif 000010